(57)【要約】      （修正有）【課題】突沸を防止することができる検出装置及び容器を提供する。【解決手段】実施形態によれば、検出装置２０は、容器２５と、照射装置と、検出センサ２２と、を備える。容器は、外層と、サンプルに含まれる被検出物及び前記被検出物を担体に固定する抗体が進入しない空隙を有する内層と、を備える。照射装置は、媒質と前記抗体と前記担体と前記サンプルとを含む第１の懸濁液にマイクロ波を照射する。検出センサは、前記第１の懸濁液から、前記担体を固定された前記被検出物を検出する。【選択図】図１
2020204509.tif 000002
【特許請求の範囲】
【請求項１】
外層と、サンプルに含まれる被検出物及び前記被検出物を担体に固定する抗体が進入しない空隙を有する内層と、を備える容器と、
媒質と前記抗体と前記担体と前記サンプルとを含む第１の懸濁液にマイクロ波を照射する照射装置と、
前記第１の懸濁液から、前記担体を固定された前記被検出物を検出する検出センサと、
を備える検出装置。
【請求項２】
前記担体は、磁性体から構成される、
請求項１に記載の検出装置。
【請求項３】
前記照射装置は、
前記媒質と前記担体と前記抗体とを含む第２の懸濁液に前記マイクロ波を照射し、
前記第２の懸濁液に前記サンプルを投入して生成される前記第１の懸濁液に前記マイクロ波を照射する、
請求項１又は２に記載の検出装置。
【請求項４】
前記容器は、前記空隙を有する膜を内壁に有する、
請求項１乃至３の何れか１項に記載の検出装置。
【請求項５】
媒質と担体と被検出物を含むサンプルとを含む第１の懸濁液にマイクロ波を照射する照射装置を有する検出装置で用いられる容器であって、
外層と、
前記被検出物と前記被検出物を前記担体に固定する抗体とが進入しない空隙を有する内層と、
を備える容器。
【発明の詳細な説明】
【技術分野】
【０００１】
本発明の実施形態は、検出装置及び容器に関する。
【背景技術】
【０００２】
微生物などの有機物を検出する検出装置には、検出対象となる被検出物にビーズを固定するために、被検出物とビーズとを含む懸濁液を容器に入れるものがある。検出装置は、容器内にマイクロ波を照射して懸濁液を加熱する。
【０００３】
そのような検出装置は、マイクロ波を用いた加熱によって懸濁液の温度を急激に上昇させることがある。  
その結果、検出装置は、突沸を生じさせる恐れがある。
【先行技術文献】
【特許文献】
【０００４】
【特許文献１】特開２０１５−１４５４２号公報
【発明の概要】
【発明が解決しようとする課題】
【０００５】
上記の課題を解決するために、突沸を防止することができる検出装置及び容器を提供する。
【課題を解決するための手段】
【０００６】
実施形態によれば、検出装置は、容器と、照射装置と、検出センサと、を備える。容器は、外層と、サンプルに含まれる被検出物及び前記被検出物を担体に固定する抗体が進入しない空隙を有する内層と、を備える。照射装置は、媒質と前記抗体と前記担体と前記サンプルとを含む第１の懸濁液にマイクロ波を照射する。検出センサは、前記第１の懸濁液から、前記担体を固定された前記被検出物を検出する。
【図面の簡単な説明】
【０００７】
【図１】図１は、実施形態に係る検出システムの構成例を示す図である。
【図２】図２は、実施形態に係る情報処理装置の構成例を示すブロック図である。
【図３】図３は、実施形態に係る容器の構造例を示す図である。
【図４】図４は、実施形態に係る検出システムの動作例を示す図である。
【図５】図５は、実施形態に係る検出システムの動作例を示す図である。
【発明を実施するための形態】
【０００８】
以下、図面を参照して実施形態について説明する。なお、各図は実施形態とその理解を促すための模式図であり、その形状や寸法、比などは適宜、設計変更することができる。
【０００９】
実施形態に係る検出システムは、サンプルに含まれる菌などの有機物（被検出物）を検出する。検出システムは、所定の構造を有する検出センサに対して所定の周波数を有する電磁波を照射し検出センサを透過した透過波を検出する。また、検出システムは、所定の容器内において、抗体を用いて被検出物に検出センサの電気的特性に影響するビーズ（担体）および担体に支持された菌などの有機物（被検出物）を固定する。
【００１０】
検出システムは、サンプルを堆積させる前の検出センサの透過率とサンプルを堆積された後の検出センサの透過率とを測定する。検出システムは、両透過率が一致しない場合に、サンプルに被検出物が含まれると判定する。
【００１１】
図１は、検出システム１の構成例を示す。図１が示すように、検出システム１は、情報処理装置１０及び検出装置２０を備える。情報処理装置１０及び検出装置２０とは、互いに通信可能に接続される。
【００１２】
情報処理装置１０は、検出システム１全体を制御する。即ち、情報処理装置１０は、検出装置２０を制御する。情報処理装置１０は、検出装置２０に制御信号を送信し各部を制御する。また、情報処理装置１０は、検出装置２０の各部から種々の信号を受信する。情報処理装置１０は、各部からの信号などに基づいて、サンプルに被検出物が含まれるか判定する。  
情報処理装置１０については、後に詳述する。
【００１３】
検出装置２０は、情報処理装置１０の制御に従ってサンプルに含まれる被検出物３４にビーズ３２を固定する。また、検出装置２０は、情報処理装置１０からの制御に従って被検出物３４の検出に必要な情報を情報処理装置１０に提供する。
【００１４】
図１が示すように、検出装置２０は、光源２１、検出センサ２２、センサホルダ２３、光学センサ２４、容器２５、投入装置２６、マイクロ波発生装置２７及び採取装置２８などから構成される。なお、検出装置２０は、図１が示すような構成の他に必要に応じた構成をさらに具備したり、検出装置２０から特定の構成が除外されたりしてもよい。
【００１５】
光源２１は、情報処理装置１０からの制御に基づいて所定の周波数の電磁波を検出センサ２２に照射する。また、光源２１は、複数の周波数の電磁波を検出センサ２２に照射するものであってもよい。
【００１６】
検出センサ２２は、サンプルに含まれる被検出物３４を検出する。ここでは、検出センサ２２は、サンプルを含む懸濁液４０から、ビーズ３２が固定された被検出物３４を検出する。検出センサ２２は、透過率に関して所定の周波数特性を有する。検出センサ２２は、光源２１からの電磁波を所定の透過率で光学センサ２４に透過させる。また、検出センサ２２の透過率は、被検出物３４および被検出物３４に固定されるビーズ３２が検出センサ２２の表面に付着すると、変化する。たとえば、検出センサ２２は、基材及び構造体などから構成される。
【００１７】
基材は、たとえば、所定の大きさの矩形に形成される。基材は、光源２１が照射する電磁波に対して変化を生じさせない素材から構成されるのが望ましい。即ち、基材は、光源２１が照射する電磁波の周波数帯において透過性を有する素材から構成されることが望ましい。たとえば、基材は、シリコンウエハなどから構成される。また、基材は、ポリエチレンなどの有機材料から構成されてもよい。
【００１８】
たとえば、基材の厚さは、１００〜８００μｍの範囲である。たとえば、基材の厚さは、５２５μｍである。  
基材の素材及び外寸は、特定の構成に限定されるものではない。
【００１９】
構造体は、光源２１が照射する電磁波を透過させる。構造体は、透過率に関して周波数特性を有する。
【００２０】
たとえば、構造体は、金又はアルミニウムなどの導電体から形成される。構造体は、複数の層を備える構造であってもよい。たとえば、構造体は、基材との接着層としてクロム又はチタンなどの層を備えてもよい。  
たとえば、構造体の厚さは、０．１μから５０μｍの範囲である。たとえば、構造体の厚さは、０．２μｍである。
【００２１】
たとえば、構造体は、所定の形状及び所定の大きさの空隙を有する。  
構造体は、空隙によって、相補型分割リング共振器を形成する。構造体は、空隙によってＬＣＲ（インダクタンス、コンダクタンス、レジスタンス）回路を形成する。構造体は、ＬＣＲ回路によって所定の共振周波数において共振特性を有する。
【００２２】
また、構造体は、所定の形状又は大きさが異なる複数種類の空隙を有するものであってもよい。  
構造体は、複数種類の空隙によって、特性の異なる複数のＬＣＲ回路（主にインダクタンスが異なるＬＣＲ回路）を形成する。構造体は、各ＬＣＲ回路によって、透過率に関する周波数特性においてピークを有する。
【００２３】
なお、構造体は、空隙の大きさ又は形状が調整されることで異なる周波数特性（異なるピーク）を有することができる。  
たとえば、検出センサ２２は、外部からオペレータによってセットされるものである。
【００２４】
また、光源２１が照射する電磁波の周波数は、検出センサ２２の透過率のピークの周波数に対応する周波数であってもよい。たとえば、光源２１が照射する電磁波の周波数は、ピークの周波数の近傍の周波数である。たとえば、光源２１が照射する電磁波の周波数は、透過率が所定の閾値を下回る又は上回る周波数領域から選択されるものであってもよい。
【００２５】
センサホルダ２３は、情報処理装置１０からの制御に従って検出センサ２２を移動させる。たとえば、センサホルダ２３は、光源２１からの電磁波が照射される位置に検出センサ２２を移動させる。即ち、センサホルダ２３は、電磁波の焦点が検出センサ２２に合うように検出センサ２２に移動させる。
【００２６】
また、センサホルダ２３は、容器２５からのサンプルを受領可能な位置に検出センサ２２を移動させる。たとえば、センサホルダ２３は、容器２５に隣接する位置に検出センサ２２を移動させる。
【００２７】
たとえば、センサホルダ２３は、モータ及び駆動ベルトなどから構成される。センサホルダ２３は、モータなどの駆動力で駆動ベルトなど駆動して検出センサ２２を移動させる。センサホルダ２３の構成は、特定の構成に限定されるものではない。
【００２８】
光学センサ２４は、検出センサ２２からの透過波を検出する。光学センサ２４は、透過波の強度を検出する。たとえば、光学センサ２４は、透過波の強度に応じた電力を出力する。光学センサ２４は、透過波の強度を示すセンサ信号を情報処理装置１０へ送信する。
【００２９】
容器２５は、サンプル、ビーズ３２、抗体３３及び媒質３１などを格納する反応容器である。容器２５は、媒質３１内に分散した状態でサンプル、ビーズ３２及び抗体３３を格納する。容器２５は、上端に開放部を有する。容器２５については、後に詳述する。
【００３０】
投入装置２６は、情報処理装置１０からの制御に従って、容器２５に種々の構成物を投入する。たとえば、投入装置２６は、容器２５にサンプル、ビーズ３２、抗体３３及び媒質３１などを容器２５に投入する。
【００３１】
投入装置２６は、予め格納されたビーズ３２、抗体３３及び媒質３１を容器２５に投入するものであってもよい。  
また、投入装置２６は、外部からオペレータからセットされたサンプルを容器２５に投入するものであってもよい。  
たとえば、投入装置２６は、ピペットなどから構成されるものであってもよい。
【００３２】
マイクロ波発生装置２７（照射装置）は、容器２５が格納する内容物に対してマイクロ波を照射する。マイクロ波発生装置２７は、マイクロ波を照射することで、容器２５内のビーズ３２及び媒質３１などを加熱する。たとえば、マイクロ波発生装置２７は、１ｍｍ〜１ｍの波長を有する電磁波を照射する。
【００３３】
たとえば、マイクロ波発生装置２７は、容器２５の上部に設置される。マイクロ波発生装置２７は、下方に向ってマイクロ波を照射する。マイクロ波発生装置２７は、容器２５の内部に向ってマイクロ波を照射する。
【００３４】
採取装置２８は、情報処理装置１０からの制御に従って、容器２５内の液体（懸濁液４０など）を採取する。採取装置２８は、採取した液体を検出センサ２２上に滴下する。  
たとえば、採取装置２８は、ピペットなどから構成されるものであってもよい。
【００３５】
次に、情報処理装置１０について説明する。  
図２は、実施形態に係る情報処理装置１０の構成例を示す。図２は、情報処理装置１０の構成例を示すブロック図である。図２が示すように、情報処理装置１０は、プロセッサ１１、ＲＯＭ１２、ＲＡＭ１３、ＮＶＭ１４、通信部１５、操作部１６及び表示部１７などを備える。
【００３６】
プロセッサ１１と、ＲＯＭ１２、ＲＡＭ１３、ＮＶＭ１４、通信部１５、操作部１６及び表示部１７と、は、データバスなどを介して互いに接続する。  
なお、情報処理装置１０は、図２が示すような構成の他に必要に応じた構成を具備したり、情報処理装置１０から特定の構成が除外されたりしてもよい。
【００３７】
プロセッサ１１は、情報処理装置１０全体の動作を制御する機能を有する。プロセッサ１１は、内部キャッシュ及び各種のインターフェースなどを備えてもよい。プロセッサ１１は、内部メモリ、ＲＯＭ１２又はＮＶＭ１４が予め記憶するプログラムを実行することにより種々の処理を実現する。
【００３８】
なお、プロセッサ１１がプログラムを実行することにより実現する各種の機能のうちの一部は、ハードウエア回路により実現されるものであってもよい。この場合、プロセッサ１１は、ハードウエア回路により実行される機能を制御する。
【００３９】
ＲＯＭ１２は、制御プログラム及び制御データなどが予め記憶された不揮発性のメモリである。ＲＯＭ１２に記憶される制御プログラム及び制御データは、情報処理装置１０の仕様に応じて予め組み込まれる。
【００４０】
ＲＡＭ１３は、揮発性のメモリである。ＲＡＭ１３は、プロセッサ１１の処理中のデータなどを一時的に格納する。ＲＡＭ１３は、プロセッサ１１からの命令に基づき種々のアプリケーションプログラムを格納する。また、ＲＡＭ１３は、アプリケーションプログラムの実行に必要なデータ及びアプリケーションプログラムの実行結果などを格納してもよい。
【００４１】
ＮＶＭ１４は、データの書き込み及び書き換えが可能な不揮発性のメモリである。ＮＶＭ１４は、たとえば、ＨＤＤ（Hard Disk Drive）、ＳＳＤ（Solid State Drive）又はフラッシュメモリなどから構成される。ＮＶＭ１４は、情報処理装置１０の運用用途に応じて制御プログラム、アプリケーション及び種々のデータなどを格納する。
【００４２】
通信部１５は、検出装置２０と通信するためのインターフェースである。たとえば、通信部１５は、有線又は無線のＬＡＮ（Local Area Network）接続をサポートするインターフェースである。また、通信部１５は、ＵＳＢ（Universal Serial Bus）接続をサポートするインターフェースであってもよい。
【００４３】
操作部１６は、オペレータから種々の操作の入力を受け付ける。操作部１６は、入力された操作を示す信号をプロセッサ１１へ送信する。操作部１６は、タッチパネルから構成されてもよい。
【００４４】
表示部１７は、プロセッサ１１からの画像データを表示する。たとえば、表示部１７は、液晶モニタから構成される。操作部１６がタッチパネルから構成される場合、表示部１７は、操作部１６と一体的に形成されてもよい。  
たとえば、情報処理装置１０は、デスクトップＰＣ、ノートＰＣ又はタブレットＰＣなどである。
【００４５】
次に、容器２５について説明する。  
図３は、実施形態に係る容器２５の構造例を示す。図３が示すように、容器２５は、外層２５１及び膜２５２などを備える。
【００４６】
外層２５１は、容器２５の外層を構成する。外層２５１は、上部に開放部を備える。たとえば、外層２５１は、ビン状又はトレイ状の構造を有する。たとえば、外層２５１は、ガラス、金属、樹脂又はプラスチックなどから構成される。
【００４７】
なお、外層２５１は、底部がＶ字となる構造を有するものであってもよい。  
外層２５１の構造及び素材は、特定の構成に限定されるものではない。
【００４８】
外層２５１の内壁には、膜２５２（内層）が形成される。  
膜２５２は、外層２５１の内壁の側面に形成される。たとえば、膜２５２は、リング状に形成される。即ち、膜２５２は、側面を周回するように形成される。
【００４９】
なお、膜２５２は、側面の一部に形成されるものであってもよい。また、膜２５２は、外層２５１の内壁の底面に形成されるものであってもよい。また、膜２５２は、内壁の複数の領域に形成されるものであってもよい。
【００５０】
たとえば、膜２５２は、ガラス、金属、樹脂又はプラスチックなどから構成される。  
膜２５２が形成される領域及び膜２５２の素材は、特定の構成に限定されるものではない。
【００５１】
また、膜２５２は、複数の空隙２５３を有する。  
空隙２５３は、媒質３１内において表面張力などにより空気を内包することができる窪みである。即ち、空隙２５３は、媒質３１内において空気を保持する。
【００５２】
また、空隙２５３は、抗体３３及び被検出物３４が内部に進入できない大きさである。たとえば、空隙２５３は、抗体３３及び被検出物３４の大きさよりも小さい。  
たとえば、空隙２５３は、数十μｍ以下の大きさである。
【００５３】
なお、複数の空隙２５３の少なくとも一部が、抗体３３及び被検出物３４が内部に進入できない大きさであってもよい。  
また、容器２５は、外部からオペレータによって検出装置２０に投入されるものであってもよい。容器２５は、使い捨ての容器であってもよい。
【００５４】
次に、情報処理装置１０の動作例について説明する。情報処理装置１０が実現する動作は、プロセッサ１１がＲＯＭ１２又はＮＶＭ１４などに格納されるプログラムを実行することで実現される。
【００５５】
まず、プロセッサ１１は、容器２５においてビーズ３２に抗体３３を固定（修飾）する動作を行う。
【００５６】
図４は、ビーズ３２に抗体３３を固定する動作例を示す。ここでは、容器２５は、オペレータなどによって検出装置２０にセットされているものとする。
【００５７】
プロセッサ１１は、投入装置２６などを制御して、容器２５に媒質３１、ビーズ３２及び抗体３３などを投入する。
【００５８】
媒質３１は、ビーズ３２、抗体３３及び被検出物３４などを分散質として分散させる液体である。たとえば、媒質３１は、水又は食塩水などである。媒質３１の構成は、特定の構成に限定されるものではない。
【００５９】
ビーズ３２は、磁性体から構成されるビーズである。たとえば、ビーズ３２は、強磁性体から構成されるビーズである。
【００６０】
たとえば、ビーズ３２は、数ｎｍの酸化鉄粒子がポリスチレン、シリカ、アガロースなどのポリマー中に分散又は包含した構造を有する。たとえば、ビーズ３２は、数十ｎｍから数μｍ程度に形成される。
【００６１】
抗体３３は、被検出物３４をビーズ３２に固定する抗体である。抗体３３は、ビーズ３２に結合する結合部位を有する。また、抗体３３は、被検出物３４に結合する結合部位を有する。  
媒質３１、ビーズ３２及び抗体３３は、懸濁液４０（第２の懸濁液）を構成する。
【００６２】
容器２５に媒質３１、ビーズ３２及び抗体３３などを投入すると、プロセッサ１１は、マイクロ波発生装置２７からマイクロ波を照射させる。即ち、マイクロ波発生装置２７は、懸濁液４０にマイクロ波を照射する。  
なお、プロセッサ１１は、マイクロ波を照射させている間に、攪拌機などを用いて、懸濁液４０を撹拌してもよい。
【００６３】
マイクロ波発生装置２７が懸濁液４０にマイクロ波を照射すると、懸濁液４０を構成する媒質３１が加熱される。たとえば、媒質３１を構成する水などの誘電体は、マイクロ波により振動し加熱される。
【００６４】
また、マイクロ波発生装置２７が照射するマイクロ波によって、ビーズ３２が加熱される。たとえば、ビーズ３２を構成する磁性体は、電子スピンの、マイクロ波に対する非共鳴応答により加熱される。
【００６５】
上記の動作により、プロセッサ１１は、マイクロ波を懸濁液４０に照射することで媒質３１及びビーズ３２を加熱する。プロセッサ１１は、媒質３１及びビーズ３２を加熱することで、懸濁液４０を加熱する。懸濁液４０が加熱されることにより、抗体３３は、ビーズ３２に迅速に固定される。
【００６６】
また、ビーズ３２及び媒質３１が加熱されることで、膜２５２の空隙２５３に内包される空気が加熱される。空隙２５３内の空気は、加熱によって膨張し、空隙２５３から排出される。その結果、懸濁液４０内に気泡５０が生じる。
【００６７】
膜２５２の各空隙２５３から気泡５０が生じることで、懸濁液４０内には多量の気泡５０が生じる。気泡５０によって、懸濁液４０の突沸が抑制される。
【００６８】
ビーズ３２に抗体３３を固定する動作を行うと、プロセッサ１１は、被検出物３４にビーズ３２を固定（修飾）する動作を行う。
【００６９】
図５は、被検出物３４にビーズ３２を固定する動作例を示す。ここでは、被検出物３４を含む（含み得る）サンプルは、オペレータなどによって検出装置２０にセットされているものとする。
【００７０】
プロセッサ１１は、投入装置２６などを制御して、容器２５にサンプルを投入する。即ち、プロセッサ１１は、サンプルを投入した懸濁液４０（第１の懸濁液）を生成する。
【００７１】
被検出物３４は、抗体３３に固定される物質である。たとえば、被検出物３４は、抗原、菌（乳酸菌、大腸菌など）などの有機物などである。なお、被検出物３４の構成は、特定の構成に限定されるものではない。
【００７２】
容器２５にサンプルを投入すると、プロセッサ１１は、マイクロ波発生装置２７からマイクロ波を照射させる。即ち、マイクロ波発生装置２７は、懸濁液４０にマイクロ波を照射する。  
なお、プロセッサ１１は、マイクロ波を照射させている間に、攪拌機などを用いて、懸濁液４０を撹拌してもよい。
【００７３】
前述の通り、プロセッサ１１は、マイクロ波を懸濁液４０に照射することで媒質３１及びビーズ３２を加熱する。プロセッサ１１は、媒質３１及びビーズ３２を加熱することで、懸濁液４０を加熱する。  
懸濁液４０が加熱されることにより、被検出物３４は、抗体３３に迅速に固定される。即ち、被検出物３４は、ビーズ３２に迅速に固定される。
【００７４】
また、前述の通り、ビーズ３２及び媒質３１が加熱されることで、懸濁液４０内に気泡５０が生じる。気泡５０によって、懸濁液４０の突沸が抑制される。
【００７５】
被検出物３４にビーズ３２を固定する動作を行うと、プロセッサ１１は、サンプルが堆積していない検出センサ２２の透過率（リファレンス透過率）を測定する動作を行う。  
ここでは、検出センサ２２は、オペレータなどによってセンサホルダ２３にセットされているものとする。
【００７６】
たとえば、プロセッサ１１は、センサホルダ２３を用いて、光源２１からの電磁波が照射される位置に検出センサ２２を移動させる。光源２１からの電磁波が照射される位置に検出センサ２２を移動させると、プロセッサ１１は、光源２１を用いて電磁波を検出センサ２２に照射する。
【００７７】
光源２１を用いて電磁波を検出センサ２２に照射すると、プロセッサ１１は、光学センサ２４を用いて検出センサ２２からの透過波の強度を取得する。透過波の強度を取得すると、プロセッサ１１は、透過波の強度と光源２１が照射する電磁波の強度となどから透過率（リファレンス透過率）を算出する。
【００７８】
サンプルが堆積していない検出センサ２２の透過率（リファレンス透過率）を測定する動作を行うと、プロセッサ１１は、サンプルを検出センサ２２に堆積させる動作を行う。
【００７９】
プロセッサ１１は、センサホルダ２３を用いて、容器２５からの懸濁液４０を受領可能な位置に検出センサ２２を移動させる。容器２５からの懸濁液４０を受領可能な位置に検出センサ２２を移動させると、プロセッサ１１は、採取装置２８を用いて、容器２５に格納される懸濁液４０を採取させ検出センサ２２上に滴下させる。
【００８０】
懸濁液４０を検出センサ２２上に滴下させると、プロセッサ１１は、滴下した懸濁液４０が乾燥するまで待機する。なお、プロセッサ１１は、滴下した懸濁液４０を加熱して、乾燥を促進してもよい。また、プロセッサ１１は、滴下した懸濁液４０から不要な構成物を除外する処理を行ってもよい。また、プロセッサ１１は、滴下させる前に懸濁液４０から不要な構成物を除外する処理を行ってもよい。
【００８１】
プロセッサ１１は、懸濁液４０を検出センサに滴下し乾燥させることで、ビーズ３２が固定された被検出物３４を含む（含み得る）サンプルを検出センサ２２に堆積させる。
【００８２】
サンプルを検出センサ２２に堆積させると、プロセッサ１１は、サンプルが堆積している検出センサ２２の透過率（検出透過率）を測定する動作を行う。
【００８３】
プロセッサ１１は、センサホルダ２３を用いて、光源２１からの電磁波が照射される位置に検出センサ２２を移動させる。光源２１からの電磁波が照射される位置に検出センサ２２を移動させると、プロセッサ１１は、光源２１を用いて電磁波を検出センサ２２に照射する。
【００８４】
光源２１を用いて電磁波を検出センサ２２に照射すると、プロセッサ１１は、光学センサ２４を用いて検出センサ２２からの透過波の強度を取得する。透過波の強度を取得すると、プロセッサ１１は、透過波の強度と光源２１が照射する電磁波の強度となどから透過率（検出透過率）を算出する。
【００８５】
サンプルが堆積している検出センサ２２の透過率を測定する動作を行うと、プロセッサ１１は、測定されたリファレンス透過率及び検出透過率に基づいてサンプルに被検出物３４が含まれるか判定する。
【００８６】
検出センサ２２上に被検出物３４が存在している場合、検出センサ２２には、被検出物３４に固定されたビーズ３２も存在している。そのため、検出センサ２２の透過率は、被検出物３４およびビーズ３２を構成する磁性体によって、変化する。
【００８７】
従って、プロセッサ１１は、サンプルに被検出物３４が含まれるか判定するために、リファレンス透過率と検出透過率とが一致するか判定する。たとえば、プロセッサ１１は、リファレンス透過率と検出透過率との差異が所定の閾値以下であれば、両者が一致すると判定する。
【００８８】
プロセッサ１１は、両者が一致しないと判定すると、検出センサ２２上に被検出物３４が存在すると判定する。即ち、プロセッサ１１は、サンプルに被検出物３４に含まれていると判定する。
【００８９】
他方、プロセッサ１１は、両者が一致すると判定すると、検出センサ２２上に被検出物３４が存在しないと判定する。即ち、プロセッサ１１は、サンプルに被検出物３４が含まれないと判定する。
【００９０】
プロセッサ１１は、サンプルに被検出物３４が含まれるか否かの判定結果を表示部１７に表示してもよい。また、プロセッサ１１は、判定結果を外部装置に出力してもよい。
【００９１】
なお、プロセッサ１１は、ビーズ３２に抗体３３を固定させた後に、容器２５を交換してもよい。即ち、プロセッサ１１は、ビーズ３２に抗体３３を固定させた後に、容器２５から新たな容器２５に懸濁液４０を移してもよい。
【００９２】
また、外層２５１は、内層としての内壁に空隙２５３を有するものであってもよい。この場合、容器２５は、膜２５２を備えなくともよい。
【００９３】
また、プロセッサ１１は、複数の周波数の電磁波を用いて、リファレンス透過率及び検出透過率を測定してもよい。この場合、プロセッサ１１は、各リファレンス透過率と各検出透過率とが一致する場合、サンプルに被検出物３４が含まれていないと判定してもよい。他方、プロセッサ１１は、一致しない組合せが１つ以上ある場合、サンプルに被検出物３４が含まれると判定してもよい。
【００９４】
また、プロセッサ１１は、ビーズ３２に抗体３３を固定する動作を行わなくともよい。たとえば、検出装置２０は、抗体３３が固定されたビーズ３２を予めセットされるものであってもよい。
【００９５】
また、オペレータが容器２５に媒質３１、ビーズ３２、抗体３３及びサンプルなどを投入してもよい。また、オペレータが懸濁液４０を検出センサ２２に滴下してもよい。
【００９６】
また、光学センサ２４は、検出センサ２２からの反射光を検出するものであってもよい。この場合、プロセッサ１１は、検出センサ２２の反射率を測定する。
【００９７】
また、プロセッサ１１は、ビーズ３２を抗体３３又は被検出物３４に固定する前に、リファレンス透過率を測定してもよい。  
また、プロセッサ１１は、サンプルを堆積させた前及び後における検出センサ２２の透過光の強度に基づいてサンプルに被検出物３４が含まれるか判定してもよい。
【００９８】
以上のように構成された検出システム１は、空隙２５３が形成された膜を内側に有する容器２５において、ビーズ３２と抗体３３又は被検出物３４とを含む懸濁液４０にマイクロ波を照射し、ビーズ３２に抗体３３又は被検出物３４を固定する。その際に、マイクロ波の照射によって媒質３１およびビーズ３２が加熱され、その熱が伝達した気泡５０が膨張し懸濁液４０内に気泡が生じる。検出システム１は、気泡５０によって突沸を防止することができる。
【００９９】
また、検出システム１は、抗体３３及び被検出物３４が進入しない大きさの空隙２５３が形成された膜を内側に有する容器２５を用いる。そのため、検出システム１は、空隙２５３に被検出物３４が進入し又は膜に被検出物３４が付着してしまい被検出物３４の濃度が変わってしまうことを防止することができる。
【０１００】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１０１】
１…検出システム、１０…情報処理装置、１１…プロセッサ、１２…ＲＯＭ、１３…ＲＡＭ、１４…ＮＶＭ、１５…通信部、１６…操作部、１７…表示部、２０…検出装置、２１…光源、２２…検出センサ、２３…センサホルダ、２４…光学センサ、２５…容器、２６…投入装置、２７…マイクロ波発生装置、２８…採取装置、３１…媒質、３２…ビーズ、３３…抗体、３４…被検出物、４０…懸濁液、５０…気泡、２５１…外層、２５２…膜、２５３…空隙。
【図１】
2020204509.tif 000003
【図２】
2020204509.tif 000004
【図３】
2020204509.tif 000005
【図４】
2020204509.tif 000006
【図５】
2020204509.tif 000007